(57)【要約】【課題】縦葺き屋根材の嵌合部と被嵌合部の嵌合部分の軒先開口から容易に外れたり脱落しないようにすることができると共に施工に手間がかからない桟鼻を提供する。【解決手段】屋根材本体の一側端部に形成された嵌合部と、屋根材本体の他側端部に形成された被嵌合部との嵌合部分の軒先開口に取り付けられる桟鼻Ｃに関する。屋根下地に載置される底板８の軒側端部に軒先開口を閉塞するための表面板６を設ける。上記嵌合部分に挿入されて嵌合部分を支持する支持板７を底板８に立設する。支持板７により嵌合部分の軒先開口の周縁部を支持して積雪による軒先開口の変形を防止することができる。また、嵌合部及び被嵌合部の軒側端部を切除することなく桟鼻Ｃを取り付けることができる。【選択図】　図１
2004011384.tif 000002
【特許請求の範囲】
【請求項１】
屋根材本体の一側端部に形成された嵌合部と、屋根材本体の他側端部に形成された被嵌合部との嵌合部分の軒先開口に取り付けられる桟鼻であって、屋根下地に載置される底板の軒側端部に軒先開口を閉塞するための表面板を設けると共に上記嵌合部分に挿入されて嵌合部分を支持する支持板を底板に立設して成ることを特徴とする桟鼻。
【請求項２】
嵌合部分に挿入されて嵌合部に固定される取付片を表面板に設けて成ることを特徴とする請求項１に記載の桟鼻。
【発明の詳細な説明】
【０００１】
【発明の属する技術分野】
本発明は、縦葺き屋根材の嵌合部分の化粧を行なうための建築部材である桟鼻（サンバナ）に関するものである。
【０００２】
【従来の技術】
従来より、野地板等の屋根下地の上に横方向（例えば、妻方向）に複数枚接続して葺かれる縦葺き屋根材が提案されている。この縦葺き屋根材Ａは図５（ａ）（ｂ）に示すように、略平板状もしくは小波板形状（同一間隔で連続的に凹と凸の繰り返し模様を有する形状）に形成される屋根材本体１の一方の側端部（屋根下地４の傾斜方向と略平行に配置される端部であって、例えば、屋根の軒棟方向と平行な端部）の略全長に亘って嵌合部２を上側に突出させて形成すると共に屋根材本体１の他方の側端部の略全長に亘って被嵌合部３を上側に突出させて形成したものである。嵌合部２は例えば断面略逆Ｕ字状に形成されるものであり、被嵌合部３は例えば断面略逆Ｖ字状に形成することができる。また、嵌合部２及び被嵌合部３は屋根材本体１の面方向に対して略垂直な方向に立設されている。縦葺き屋根材Ａは耐食性のある金属板、例えば、塗装鋼板やめっき鋼板などを用いて形成することができる。
【０００３】
上記のように形成される縦葺き屋根材Ａは、次にようにして施工することができる。まず、縦葺き屋根材用固定具（吊子）Ｂを縦葺き屋根材Ａの被嵌合部３に上側から嵌め込んで圧接させて係合させることによって、縦葺き屋根材Ａの被嵌合部３の所定箇所に複数個の縦葺き屋根材用固定具Ｂを取り付ける。次に、屋根勾配と嵌合部２及び被嵌合部３が略平行となるようにして野地板等の屋根下地４に縦葺き屋根材Ａを載置する。次に、縦葺き屋根材Ａに取り付けられた各縦葺き屋根材用固定具Ｂを屋根下地４に釘やビスなどにより固定することによって、複数個の固定具Ｂを介して上記縦葺き屋根材Ａを屋根下地４に取り付ける。
【０００４】
次に、屋根下地４に固定された上記縦葺き屋根材Ａにこれとは別の他の縦葺き屋根材Ａが接続される。屋根下地４の上の縦葺き屋根材Ａに他の縦葺き屋根材Ａを接続するにあたっては、図６に示すように、屋根下地４に固定されている縦葺き屋根材Ａの被嵌合部３に上方から他の縦葺き屋根材Ａの嵌合部２を載せ、嵌合部２に上から力を加えることによって、他の縦葺き屋根材Ａの嵌合部２を屋根下地４の上に固定された縦葺き屋根材Ａの被嵌合部３及びこれに嵌着された縦葺き屋根材固定具Ｂの外側に嵌め込むことによって、屋根下地４に固定されている縦葺き屋根材Ａの被嵌合部３を他の縦葺き屋根材Ａの嵌合部２の内側に嵌合して縦葺き屋根材Ａ、Ａ同士を接続することができる。この後、上記一連の作業を繰り返し行なって複数枚の縦葺き屋根材Ａを屋根下地４の上に葺設することによって、図７に示すような屋根が形成されるのである。尚、図７において、２０は屋根下地４上に敷設された防水シート、２１は屋根下地４の軒側端部に取り付けられた唐草であり、防水シート２０及び唐草２１のいずれもが屋根下地４と縦葺き屋根材Ａの間に配置されるものである。
【０００５】
上記のようにして接続された縦葺き屋根材Ａにおいて、隣接する縦葺き屋根材Ａの嵌合部２と被嵌合部３の嵌合部分の軒側先端には軒先開口５が形成されるが、この軒先開口５を閉塞して化粧するために桟鼻が取り付けられている。
【０００６】
従来より、桟鼻としては外付けタイプのものと内付けタイプのものとがある。外付けタイプの桟鼻Ｃ’は表面板６の周端に取付片９を後方に向けて突設することにより形成されるものである。そして、この桟鼻Ｃ’を嵌合部２と被嵌合部３との嵌合部分に取り付けるにあたっては、まず、図１０（ａ）に示すように、唐草２１よりも軒先側に突出する縦葺き屋根材Ａの軒側端部において、屋根材本体１と嵌合部２及び被嵌合部３との境界部分に切れ目２２を入れる。次に、図１０（ｂ）に示すように、屋根材本体１の軒側端部を下側に折り返して唐草２１の軒側端部をつかみこむようにする。これにより、嵌合部２と被嵌合部３との嵌合部分の軒側端部が屋根材本体１より軒先側に突出することになる。次に、図１０（ｂ）に示すように、桟鼻Ｃ’を上記嵌合部分に軒先側から近づけて桟鼻Ｃ’の取付片９の内側に上記嵌合部分の軒側端部を嵌め込む。この後、図１０（ｃ）に示すように、取付片９の外側から嵌合部２にまでビス等の固定具２３を打ち込むことによって、嵌合部２と被嵌合部３との嵌合部分の軒側端部に桟鼻Ｃ’を固定して取り付けることができる。
【０００７】
一方、内付けタイプの桟鼻Ｃ’は底板８の上面に表面板６を立設すると共に表面板６の周端に取付片９を後方に向けて突設することにより形成されるものである。そして、この桟鼻Ｃ’を嵌合部２と被嵌合部３との嵌合部分に取り付けるにあたっては、まず、図１１（ａ）に示すように、唐草（軒先水切り）２１よりも軒先側に突出する縦葺き屋根材Ａの軒側端部において、嵌合部２及び被嵌合部３とを切除する。次に、図１１（ｂ）に示すように、唐草２１と屋根材本体１の隙間に軒先側から桟鼻Ｃ’の底板８を挿入すると共に桟鼻Ｃ’の取付片９を上記嵌合部分の軒先開口５に挿入することによって、桟鼻Ｃ’を軒先開口５に嵌め込んで装着する。次に、図１１（ｂ）に示すように、屋根材本体１の軒側端部を下側に折り返して唐草２１の軒側端部をつかみこむようにする。これにより、唐草２１と屋根材本体１の隙間が閉塞されて底板８が抜けないようになる。このようにして、嵌合部２と被嵌合部３との嵌合部分の軒側端部に桟鼻Ｃ’を固定して取り付けることができる。
【０００８】
【発明が解決しようとする課題】
しかし、上記の桟鼻Ｃ’では積雪時等において嵌合部２と被嵌合部３との嵌合部分に荷重がかかって変形が生じた場合などに軒先開口５から外れたり脱落したりすることがあった。特に、外付けタイプの桟鼻Ｃ’では積雪等による荷重で固定具２３により固定した箇所に割れが生じて脱落しやすかった。また、内付けタイプの桟鼻Ｃ’の場合、嵌合部２と被嵌合部３の軒側端部を切除しなければならず、施工に手間がかかるという問題があった。
【０００９】
本発明は上記の点に鑑みてなされたものであり、縦葺き屋根材の嵌合部と被嵌合部の嵌合部分の軒先開口から容易に外れたり脱落しないようにすることができると共に施工に手間がかからない桟鼻を提供することを目的とするものである。
【００１０】
【課題を解決するための手段】
本発明の請求項１に係る桟鼻Ｃは、屋根材本体１の一側端部に形成された嵌合部２と、屋根材本体１の他側端部に形成された被嵌合部３との嵌合部分の軒先開口５に取り付けられる桟鼻Ｃであって、屋根下地４に載置される底板８の軒側端部に軒先開口５を閉塞するための表面板６を設けると共に上記嵌合部分に挿入されて嵌合部分を支持する支持板７を底板８に立設して成ることを特徴とするものであり、支持板７により嵌合部分の軒先開口５の周縁部を支持して積雪による軒先開口５の変形を防止することができ、軒先開口５から桟鼻Ｃが外れたり脱落したりするのを防止することができるものである。また、嵌合部２及び被嵌合部３の軒側端部を切除することなく桟鼻Ｃを取り付けることができ、施工に手間がかからないようにすることができるものである。
【００１１】
また、本発明の請求項２に係る桟鼻Ｃは、請求項１に加えて、嵌合部分に挿入されて嵌合部２に固定される取付片９を表面板６に設けて成ることを特徴とするものであり、取付片９を嵌合部２に固定することによって桟鼻Ｃを強固に嵌合部分に取り付けることができ、積雪により軒先開口５から桟鼻Ｃが外れたり脱落したりするのを確実に防止することができるものである。
【００１２】
【発明の実施の形態】
以下、本発明の実施の形態を説明する。
【００１３】
図１（ａ）〜（ｄ）に本発明の桟鼻Ｃの一例を示す。この桟鼻Ｃはステンレス鋼板等の耐食性の高い金属板を例えば図４に示すような形状に打ち抜き加工し、これを折り曲げ加工（折り曲げする部分を点線で示す）して形成されるものである。桟鼻Ｃは左右に連結された一対の桟鼻半体１０により構成されている。桟鼻半体１０は平板状の底板半体１１と、底板半体１１の前端部（軒側端部）から上方に向けて突設された表面板半体１２と、底板半体１１の一方の側端部から上方に向けて突設された略楔形の支持板７とから形成されている。二つの支持板７のうち、一方の支持板７には厚み方向に貫通する係止孔３０が形成されていると共に他方の支持板７には切り起こし加工にて係止片３１が形成されている。また、表面板半体１２の周端部には複数個の挿入片１３が後方に向けて突設されていると共に表面板半体１２の周端部には上記の挿入片１３よりも長い取付片９が後方に向けて突設されている。そして、一対の桟鼻半体１０は支持板７の後端部同士が要部１４により連結されると共に二つの支持板７が外面同士を合わせた状態で結合することにより一体化されている。二つの支持板７の結合は一方の支持板７の係止孔３０に他方の支持板７の係止片３１を挿入して折り返し屈曲し、係止孔３０と係止片３１とを係止するようにして行なわれる（これをステッチという）。また、一対の桟鼻半体１０の一体化により底板半体１１が横に並んで底板８が形成されると共に表面板半体１２が横に並んで二分割可能な表面板６が形成されるものである。従って、表面板６は底板８の前端部に上方に向いて突出して形成されるものであり、また、底板８にはその略中央部を通るように二枚の支持板７が上方に向いて突出して形成されるものである。尚、上記の要部１４の位置は支持板７の下端や支持板７の上端であっても良く、また、要部１４を設けずに桟鼻半体１０が完全に分割されていても良い。
【００１４】
このように形成される桟鼻Ｃは従来と同様にして施工されるものであって、縦葺き屋根材Ａの嵌合部２とこれに隣接する他の縦葺き屋根材Ａの被嵌合部３との嵌合部分の軒側先端に形成される軒先開口５に取り付けられるものである。すなわち、まず、図２（ａ）に示すように、唐草２１よりも軒先側に突出する縦葺き屋根材Ａの軒側端部において、屋根材本体１と嵌合部２及び被嵌合部３との境界部分に切れ目２２を入れる。次に、屋根材本体１の軒側端部を下側に折り返して唐草２１の軒側端部をつかみこむようにする。これにより、嵌合部２と被嵌合部３との嵌合部分の軒側端部が屋根材本体１より軒先側に突出することになる。次に、図２（ｂ）に示すように、桟鼻Ｃを上記嵌合部分に軒先側から近づけて桟鼻Ｃの支持板７と取付片９と挿入片１３と底板８とを上記嵌合部分の軒側端部の内側に差し込むと共に表面板６を軒先開口５に嵌め込む。さらに、桟鼻Ｃの底板８を上記嵌合部分の下面開口の下側に位置させて、底板８の後端部（表面板６を設けた側と反対側の端部）を唐草２１の上に載置する。ここで、上記嵌合部分の内側に挿入された支持板７は屋根材本体１の面方向及び屋根下地４の面方向（傾斜方向）に対して略垂直に立設されるものである。この後、嵌合部２の外側から取付片９及び支持板７にまでビス（スクリュービス）等の固定具２３を打ち込む。固定具２３は上記嵌合部分の長手方向（軒棟方向）に対して両側から打ち込むようにする。このようにして図３（ａ）（ｂ）に示すように、嵌合部２と被嵌合部３との嵌合部分の軒側端部に桟鼻Ｃを固定して取り付けることができる。
【００１５】
そして、本発明では、隣接する縦葺き屋根材Ａの嵌合部２と被嵌合部３の嵌合部分の内側に挿入された支持板７で上記嵌合部分の軒先開口５の周縁部を支持することによって、積雪（氷結）による軒先開口５の変形を防止することができ、軒先開口５から桟鼻Ｃが外れたり脱落したりするのを防止することができるものである。また、嵌合部２及び被嵌合部３の軒側端部を切除することなく桟鼻Ｃを取り付けることができ、施工に手間がかからないようにすることができるものであり、施工が簡単で速く行なうことができ、また熟練作業が必要なく、さらにきれいに仕上げることができるものである。また、上記の嵌合部分の軒先開口５は開く傾向にあり、特に、嵌合部２と被嵌合部３の間に定型シールパッキンを介在させたり、縦葺き屋根材Ａをステンレス鋼板で形成したりした場合には、軒先開口５が開く傾向が大きくなるが、本発明では開いていない軒先開口５の形状に対応させて表面板６や支持板７や底板８を形成しているために、開いた軒先開口５の形状を桟鼻Ｃで矯正しながら軒先開口５に桟鼻Ｃを取り付けることができ、屋根の外観を向上させることができるものである。また、本発明の桟鼻Ｃは、屋根材本体１の軒側端部から突出した上記嵌合部分の軒側端部の下面開口を桟鼻Ｃの底板８で閉塞することができ、屋根の美観や強度を向上させることができるものである。さらに、桟鼻Ｃの底板８の後端部を唐草２１の上に載置することによって、桟鼻Ｃを唐草２１で支持することができ、桟鼻Ｃの取り付け強度を高めることができるものである。
【００１６】
また、本発明の桟鼻Ｃは図８（ａ）に示すような寄せ棟屋根４５の降り谷部４０において特に好適に用いることができる。寄せ棟屋根４５の降り谷部４０は隣接する二面の屋根４１、４１の間に形成された軒棟方向に下り傾斜する部分であり、上記屋根４１、４１に敷設された縦葺き屋根材Ａは軒側端部が降り谷部４０に臨むように位置している。そして、図８（ｂ）に示すように、降り谷部４０に臨む縦葺き屋根材Ａの屋根材本体１の軒側端部は降り谷部４０の傾斜に沿って斜めに切断して仕上げるものであり、また、嵌合部２と被嵌合部３の嵌合部分はその長手方向と直交する方向に切断されるものである。このような降り谷部４０において嵌合部２と被嵌合部３の嵌合部分の軒側端部に従来の内付けタイプの桟鼻Ｃ’を取り付けようとすると、桟鼻Ｃ’の底板８が邪魔になって屋根材本体１の軒側端部を下側に折り返すことができず、取り付けが不可能であったが、本発明の桟鼻Ｃは屋根材本体１の軒側端部を下側に折り返した後、嵌合部２と被嵌合部３の嵌合部分の軒側開口５に装着するので、屋根材本体１の軒側端部を下側に折り返す際に底板８が邪魔にならずに簡単に取り付けることができるものである。
【００１７】
尚、上記の実施の形態では係止孔３０と係止片３１の係止により二つの支持板７を結合するようにしたが、係止孔３０と係止片３１による係止の代わりに、図９（ａ）乃至（ｄ）に示すように、ビスやハトメ（パンチ）等の開き止め具１５にて両方の支持板７を結合してもよい。
【００１８】
【発明の効果】
上記のように本発明の請求項１の発明は、屋根材本体の一側端部に形成された嵌合部と、屋根材本体の他側端部に形成された被嵌合部との嵌合部分の軒先開口に取り付けられる桟鼻であって、屋根下地に載置される底板の軒側端部に軒先開口を閉塞するための表面板を設けると共に上記嵌合部分に挿入されて嵌合部分を支持する支持板を底板に立設して成ることを特徴とするものであり、支持板により嵌合部分の軒先開口の周縁部を支持して積雪による軒先開口の変形を防止することができ、軒先開口から桟鼻が外れたり脱落したりするのを防止することができるものである。また、嵌合部及び被嵌合部の軒側端部を切除することなく桟鼻を取り付けることができ、施工に手間がかからないようにすることができるものである。
【００１９】
また本発明の請求項２の発明は、嵌合部分に挿入されて嵌合部に固定される取付片を表面板に設けて成ることを特徴とするものであり、取付片を嵌合部に固定することによって桟鼻を強固に嵌合部分に取り付けることができ、積雪により軒先開口から桟鼻が外れたり脱落したりするのを確実に防止することができるものである。
【図面の簡単な説明】
【図１】本発明の実施の形態の一例を示し、（ａ）は正面図、（ｂ）は平面図、（ｃ）は側面図、（ｄ）は斜視図である。
【図２】同上の施工方法を示し、（ａ）（ｂ）は斜視図である。
【図３】同上の施工状態を示し、（ａ）は正面図、（ｂ）は側面図である。
【図４】同上の展開図である。
【図５】縦葺き屋根材を示し、（ａ）は斜視図、（ｂ）は断面図である。
【図６】縦葺き屋根材の施工方法を示す斜視図である。
【図７】縦葺き屋根材の施工状態を示す一部が破断した斜視図である。
【図８】（ａ）は寄せ棟屋根を示す概略の斜視図、（ｂ）は降り谷部の一部を拡大した平面図である。
【図９】本発明の実施の形態の他例を示し、（ａ）は正面図、（ｂ）は平面図、（ｃ）は側面図、（ｄ）は斜視図である。
【図１０】従来の外付けタイプの桟鼻の施工方法を示し、（ａ）乃至（ｃ）は斜視図である。
【図１１】
従来の内付けタイプの桟鼻の施工方法を示し、（ａ）（ｂ）は斜視図である。
【符号の説明】
１　屋根材本体
２　嵌合部
３　被嵌合部
４　屋根下地
５　軒先開口
６　表面板
７　支持板
８　底板
９　取付片
Ｃ　桟鼻
【図１】
2004011384.tif 000003
【図２】
2004011384.tif 000004
【図３】
2004011384.tif 000005
【図４】
2004011384.tif 000006
【図５】
2004011384.tif 000007
【図６】
2004011384.tif 000008
【図７】
2004011384.tif 000009
【図８】
2004011384.tif 000010
【図９】
2004011384.tif 000011
【図１０】
2004011384.tif 000012
【図１１】
2004011384.tif 000013